(57)【要約】【課題】外観が平面視五角形以上の多角形状をしたものでありながら、部品数が少なく、組み立てが容易で且つ低コストで済むコーナーキャビネット及びその組み立て方法を提供する。【解決手段】直方体収納ボックス５と側板７,８と天板９とを、組立可能な別部品にて構成する。一方の側板７の一側端部７ａをコーナー部２の壁面３に直交接触させ、他側端部７ｂを連結具１０を介して直方体収納ボックス５の前側端部５ａに所定角度で連結する。他方の側板８をコーナー部２の壁面４に直交接触させ、他側端部８ｂを連結具１１を介して直方体収納ボックス５の前側端部５ｂに所定角度で連結する。天板９の背部二辺９ａ,９ｂをコーナー部２の直交する壁面３,４に沿わせ、側部二辺９ｃ,９ｄを左右の側板７,８の上部に沿わせ、前部斜辺９ｅを前面開口部６の上部に沿わせた状態で直方体収納ボックス５の上面５ｃに天板９が載置されるコーナーキャビネットの構造である。【選択図】図１
2010119794.tif 000002
【特許請求の範囲】
【請求項１】
部屋のコーナー部に設置されるコーナーキャビネットの構造であって、コーナーキャビネットは、前面開口部が平面視でコーナー部の直交する壁面に対して所定角度で傾斜して配置される平面視四角形状の直方体収納ボックスと、上記直方体収納ボックスの前面開口部を挟んでその左右両側に配置される側板と、上記コーナー部の直交する壁面に沿う背部二辺と上記左右の側板に沿う側部二辺と上記前面開口部に沿う前部斜辺とを有する天板とが、それぞれ、組立可能な別部品にて構成されており、上記一方の側板はその幅方向の一側端部がコーナー部の一方の壁面に直交して接触させた状態で、幅方向の他側端部が第１の連結具を介して該一方の壁面と対向する直方体収納ボックスの一方の前側端部に対して所定角度で傾斜して連結されており、上記他方の側板はその幅方向の一側端部がコーナー部の他方の壁面に直交して接触させた状態で、幅方向の他側端部が第２の連結具を介して該他方の壁面と対向する直方体収納ボックスの他方の前側端部に対して所定角度で傾斜して連結されており、上記天板の背部二辺をコーナー部の直交する壁面に沿わせ、側部二辺を左右の側板の上部に沿わせ、前部斜辺を前面開口部の上部に沿わせた状態で上記天板が直方体収納ボックスの上面に載置されてなることを特徴とするコーナーキャビネットの構造。
【請求項２】
上記連結具は、側板の内面に取り付けられる側板取付片と、直方体収納ボックスの前側端部に取り付けられるボックス取付片とが平面視略Ｖ字形に形成され、上記側板取付片は側板の内面に対して取り付け可能な取付孔が形成され、上記ボックス取付片には直方体収納ボックスの前側端部に設けられた棚板保持用の既成のダボ穴と連通する貫通孔が形成され、直方体収納ボックスの内側から固定部材を該ダボ穴を介して貫通孔に締結可能としたことを特徴とする請求項１記載のコーナーキャビネットの構造。
【請求項３】
上記側板取付片と直交する方向から見て側板取付片の幅寸法を、ボックス取付片の幅寸法よりも長く延ばし、その長く延ばした部分に上記取付孔を形成したことを特徴とする請求項２記載のコーナーキャビネットの構造。
【請求項４】
上記側板取付片の長さ寸法を上記ボックス取付片の長さ寸法よりも長く延ばし、この長く延ばした部分に上記取付孔を形成したことを特徴とする請求項２記載のコーナーキャビネットの構造。
【請求項５】
部屋のコーナー部に設置されるコーナーキャビネットの組み立て方法であって、平面視矩形状の直方体収納ボックスと、上記直方体収納ボックスの前面開口部を挟んでその左右両側に配置される側板と、第１及び第２の連結具と、上記コーナー部の直交する壁面に沿う背部二辺と上記左右の側板に沿う側部二辺と上記前面開口部に沿う前部斜辺とを有する天板とをそれぞれ準備し、一方の側板の内面に第１の連結具の片面を取り付け、他方の側板の内面に第２の連結具の片面を取り付けると共に、直方体収納ボックスの内側から直方体収納ボックスの一方の前側端部を第１の連結具の他面に取り付け、直方体収納ボックスの他方の前側端部を第２の連結具の他面に取り付け、その後、上記天板の背部二辺をコーナー部の直交する壁面に沿わせ、側部二辺を左右の側板の上部に沿わせ、前部斜辺を前面開口部の上部に沿わせるようにして上記天板を直方体収納ボックスの上面に載置することを特徴とするコーナーキャビネットの組み立て方法。
【発明の詳細な説明】
【技術分野】
【０００１】
本発明は、部屋のコーナー部に設置されてＴＶ載置部として使用されるコーナーキャビネットの構造及びコーナーキャビネットの組み立て方法に関するものである。
【背景技術】
【０００２】
従来から、ＴＶが載置されるＴＶ台は、部屋のコーナー部の壁面にピッタリと合うように、平面視五角形の天板と、平面視五角形の底板と、コーナー部の直交する壁面に沿う２枚の背板と、壁面に対して平面視で４５°で傾斜した前面開口部の左右両側に配置される左右の側板とが一体に構成されており、この五角形ＴＶ台の前面開口部を部屋の中央側から見て正面向きに配置することにより、ＴＶ画面の向きと五角形ＴＶ台の前面開口部とが平行に外観良く揃うようにしている（例えば、特許文献１〜３参照）。
【０００３】
ところで、従来のような五角形ＴＶ台は、天板と底板と2枚の背板と２枚の側板とが一体構造となっているため、部品数が多く、コストが高くつき、組み立てが複雑になるという問題がある。
【特許文献１】特開２００５−１６８８６７号公報
【特許文献２】特許第２６７６８３４号公報
【特許文献３】特開２００３−７０５７４号公報
【発明の開示】
【発明が解決しようとする課題】
【０００４】
本発明は上記の従来の問題点に鑑みて発明したものであって、その課題とするところは、従来の五角形ＴＶ台と比較して、部品数が少なく、組み立てが容易で且つ低コストで済む五角形以上の多角形をしたコーナーキャビネット及びその組み立て方法を提供することにある。
【課題を解決するための手段】
【０００５】
前記の課題を解決するために、本発明は、部屋のコーナー部２に設置されるコーナーキャビネットの構造であって、コーナーキャビネット１は、前面開口部６が平面視でコーナー部２の直交する壁面３,４に対して所定角度θで傾斜して配置される平面視四角形の直方体収納ボックス５と、上記直方体収納ボックス５の前面開口部６を挟んでその左右両側に配置される側板７,８と、上記コーナー部２の直交する壁面３,４に沿う背部二辺９ａ,９ｂと上記左右の側板７,８に沿う側部二辺９ｃ,９ｄと上記前面開口部６に沿う前部斜辺９eとを有する天板９とが、それぞれ、組立可能な別部品にて構成されている。上記一方の側板７はその幅方向Ａの一側端部７ａがコーナー部２の一方の壁面３に直交して接触させた状態で、幅方向Ａの他側端部７ｂが第１の連結具１０を介して該一方の壁面３と対向する直方体収納ボックス５の一方の前側端部５ａに対して所定角度αで傾斜して連結されており、上記他方の側板８はその幅方向の一側端部８ａがコーナー部２の他方の壁面４に直交して接触させた状態で、幅方向の他側端部８ｂが第２の連結具１１を介して該他方の壁面４と対向する直方体収納ボックス５の他方の前側端部５ｂに対して所定角度で傾斜して連結されており、上記天板９の背部二辺９ａ,９ｂをコーナー部２の直交する壁面３,４に沿わせ、側部二辺９ｃ,９ｄを左右の側板７,８の上部に沿わせ、前部斜辺９ｅを前面開口部６の上部に沿わせた状態で上記天板９が直方体収納ボックス５の上面５ｃに載置されてなることを特徴としている。
【０００６】
このような構成とすることで、別部品からなる直方体収納ボックス５と左右の側板７,８と連結具１０,１１と天板９との組み合わせによって、少ない部品数でコーナーキャビネットを構成できる。
【０００７】
また、上記連結具１０（１１）は、側板７,８の内面に取り付けられる側板取付片１４と、直方体収納ボックス５の前側端部に取り付けられるボックス取付片１３とが平面視略Ｖ字形に形成され、上記側板取付片１４は側板７（８）の内面に対して取り付け可能とされ、上記ボックス取付片１３には直方体収納ボックス５の前側端部５ａに設けられた棚板保持用の既成のダボ穴１７と連通する貫通孔１８が形成され、直方体収納ボックス５の内側から固定部材を該ダボ穴１７を介して貫通孔１８に締結可能とするのが好ましく、この場合、側板取付片１４を側板７,８に対してネジ固定でき、一方、ボックス取付片１３を直方体収納ボックス５の内側から固定部材を既成のダボ穴１７を利用してボックス取付片１３の貫通孔１８にネジ固定できるので、直方体収納ボックス５の穴加工が不要となり、そのうえ側板７,８及び直方体収納ボックス５に対する連結具１０（１１）の固定作業を容易に行なえるようになる。
【０００８】
また、上記側板取付片１４と直交する方向から見て側板取付片１４の幅寸法Ｄを、ボックス取付片１３の幅寸法Ｅよりも長く延ばし、その長く延ばした部分に取付孔１６を形成するのが好ましく、この場合、連結具１０（１１）の側板取付片１４とボックス取付片１３とが平面視略Ｖ字形に形成されていても、側板取付片１４の取付孔１６から側板７（８）の内面に取り付ける際に、ボックス取付片１３に邪魔されることなく、側板取付片１４の取付作業を容易に行なえるようになる。
【０００９】
また、上記側板取付片１４の長さ寸法を上記ボックス取付片１３の長さ寸法よりも長く延ばし、この長く延ばした部分に取付孔１６を形成するのが好ましく、この場合、側板取付片１４とボックス取付片１３とが平面視略Ｖ字形に形成されていても、ボックス取付片１３に邪魔されることなく、側板取付片１４のネジ固定作業を容易に行なうことができる。
【００１０】
また本発明は、部屋のコーナー部２に設置されるコーナーキャビネットの組み立て方法であって、平面視四角形の直方体収納ボックス４と、上記直方体収納ボックス５の前面開口部６を挟んでその左右両側に配置される側板７,８と、第１及び第２の連結具１０,１１と、上記コーナー部２の直交する壁面３,４に沿う背部二辺９ａ,９ｂと上記左右の側板７,８に沿う側部二辺９ｃ,９ｄと上記前面開口部６に沿う前部斜辺９eとを有する天板９とをそれぞれ準備し、一方の側板７の内面に第１の連結具１０の片面を取り付け、他方の側板８の内面に第２の連結具１１の片面を取り付けると共に、直方体収納ボックス５の内側から直方体収納ボックス５の一方の前側端部５ａを第１の連結具１０の他面に取り付け、直方体収納ボックス５の他方の前側端部５ｂを第２の連結具１１の他面に取り付け、その後、上記天板９の背部二辺９ａ,９ｂをコーナー部２の直交する壁面３,４に沿わせ、側部二辺９ｃ,９ｄを左右の側板７,８の上部に沿わせ、前部斜辺９ｅを前面開口部６の上部に沿わせるようにして上記天板９を直方体収納ボックス５の上面５ｃに載置することを特徴としている。
【００１１】
このような構成とすることで、連結具１０,１１を用いて直方体収納ボックス４と左右の側板７,８とを容易に組み立てることができると共に、天板９を直方体収納ボックス４の上部から左右の側板7,８の上部に跨るように載置するだけで、コーナーキャビネット１の組み立てを容易に行なうことができる。
【発明の効果】
【００１２】
本発明にあっては、直方体収納ボックスと左右の側板と連結具と天板とを組み合わせることにより、従来の五角形ＴＶ台と比較して、部品数が少なく、組み立てが容易で且つ低コストで済むコーナーキャビネットを提供できるものである。さらに、部屋の形状や置き物の配置等に合わせて直方体収納ボックスの前面開口部の向きを正面向きから右向き或いは左向きに変える際には、左右の側板と連結具を別仕様のものに取り替えるだけでよく、直方体収納ボックスはそのまま共通使用できるので、直方体収納ボックスの向きの変更に柔軟に且つ低コストで対応可能となる。
【発明を実施するための最良の形態】
【００１３】
以下、本発明を添付図面に示す実施形態に基いて説明する。
【００１４】
本実施形態のコーナーキャビネット１は、図１、図２に示すように、部屋のコーナー部２に設置される直方体収納ボックス５と、上記直方体収納ボックス５の前面開口部６を挟んでその左右両側に配置される側板７,８と、上記直方体収納ボックス５の上部から左右の側板７,８の上部に跨って覆う平面視五角形の天板９とで構成されていると共に、これら直方体収納ボックス５と左右の側板７,８と天板９は、それぞれ、分解・組立可能な別部品にて構成される。図１中の５ｃは直方体収納ボックス５の上面部、２０はフラップダウン扉、２１は配線パイプ、２２は扉２２ａを備えるサイドボックスである。
【００１５】
上記ＴＶ４０（図１０、図１１）を載置する天板９は、平面視略Ｌ字形に形成されており、直方体収納ボックス５の上部から左右の側板７,８の上部に跨って覆う五角形状部とサイドボックス２２の上部を覆う四角形部９Ａとが面一状に連続して一体形成されている。
【００１６】
図２において、天板９は、コーナー部２の直交する壁面３,４に沿う背部二辺９ａ,９ｂと、左右の側板７,８に沿う側部二辺９ｃ,９ｄと、キャビネット本体５の前面開口部６に沿う前部斜辺９eとを有する平面視五角形に形成されている。なお、上記各辺９ａ,９ｂ,９ｃ,９ｄ,９ｅを有するものであれば、例えば、五角形以上の多角形であってもよい。
【００１７】
本例では、天板９の背部二辺９ａ,９ｂが、図３に示すように、一対の棒状の受け金具１２,１２を介して、コーナー部２の壁面３、４に対してそれぞれ固定支持されており、これにより天板５の安定支持が図られている。なお天板９の中央側には、ＴＶ用配線キャップが装着される配線切欠孔４１が設けられ、例えばプラズマＴＶや液晶ＴＶの薄型ＴＶが設置可能とされる。
【００１８】
上記直方体収納ボックス５の前面開口部６は、図６に示すように、平面視でコーナー部２の壁面３,４に対して所定角度θ、例えば４５°で傾斜した状態（部屋の中央側から見て正面向き）で配置されている。
【００１９】
上記直方体収納ボックス５の左右に配置される側板７,８のうち、一方の側板７は、その幅方向Ａの一側端部７ａがコーナー部２の一方の壁面３に直交して接触した状態で、幅方向Ａの他側端部７ｂが平面視略Ｖ字形の第１の連結具１０を介して該一方の壁面３と対向する直方体収納ボックス５の一方の前側端部５ａに対して所定角度αで傾斜して連結保持されている。
【００２０】
他方の側板８は、その幅方向Ａの一側端部８ａがコーナー部２の他方の壁面４に直交して接触した状態で、幅方向Ａの他側端部８ｂが平面視略Ｖ字形の第２の連結具１１を介して該他方の壁面４と対向する直方体収納ボックス５の他方の前側端部５ｂに対して所定角度βで傾斜して連結保持されている。
【００２１】
本例では、一方の壁面３に沿う一方の側板７が化粧パネルとして機能し、他方の壁面４に沿う他方の側板８が補強パネルとして機能する。
【００２２】
上記第１の連結具１０は、図４に示すように、側板７の内面に取り付けられる側板取付片１４と、直方体収納ボックス５の一方の前側端部５ａに取り付けられるボックス取付片１３とがα（略４５°）のＶ字形角度をつけて平面視略Ｖ字形に形成されている。第２の連結具１１は、図５に示すように、側板７の内面に取り付けられる側板取付片１４と、直方体収納ボックス５の他方の前側端部５ｂに取り付けられるボックス取付片１３とがβ（略４５°）のＶ字形角度をつけて平面視略Ｖ字形に形成されている。
【００２３】
上記各連結具１０,１１のそれぞれの側板取付片１４は、側板取付片１４と直交する方向から見て側板取付片１４の幅寸法Ｄが、ボックス取付片１３の幅寸法Ｅよりも長く延ばしてあり、その長く延ばした部分に取付孔となるネジ孔１６が形成されているので、連結具１０（１１）の側板取付片１４とボックス取付片１３とが平面視略Ｖ字形に形成されていても、ネジを側板取付片１４のネジ孔１６から側板７（８）に締結する際に、ボックス取付片１３に邪魔されることなく、側板取付片１４のネジ固定作業を容易に行なえるようになっている。またネジ孔１６から締結されるネジが側板７（８）の外面に突出しないようにすることによって、側板７（８）の外観が良好に保たれるようになっている。
【００２４】
一方、各連結具１０（１１）のそれぞれのボックス取付片１３には、複数の貫通孔１８が形成されていると共に、直方体収納ボックス５の前側端部５ａには、棚板保持用のダボ（図示せず）が圧入可能な既成のダボ穴１７が複数設けられており、直方体収納ボックス５の内側から固定部材であるタッピンネジ１９をダボ穴１７を通してボックス取付片１３の貫通孔１８に締結することによって、側板取付片１４を直方体収納ボックス５の前側端部５ａに引き寄せて固定できるようになっている。
【００２５】
なお、上記図４、図５の例では、側板取付片１４の幅寸法Ｄをボックス取付片１３よりも長く延ばした例を示しているが、勿論これに限らず、例えば側板取付片１４の長さ寸法（図４（ｂ）、図５（ｂ）の上下方向）をボックス取付片１３の長さ寸法よりも長く延ばし、この長く延ばした部分にネジ孔１６を形成してもよいものである。
【００２６】
次に、部屋の形状や置き物の配置等に合わせて直方体収納ボックス５の前面開口部６を正面向きから右向き或いは左向きに変える際は、左右の側板７,８と連結具１０,１１を別仕様のものと交換すればよい。
【００２７】
つまり、図６に示すように、直方体収納ボックス５の前面開口部６がコーナー部２の一方の壁面４に対して所定角度θ（例えば４５°）で傾斜した状態（部屋中央部から見て正面向き）に配置される場合は、Ｖ字形角度α,βが４５°をした一対の連結具１０,１１と、幅寸法が等しい左右の側板７,８とを、組み合わせて用いる。また図７に示すように、直方体収納ボックス５の向きを例えば５０°の左向きの傾斜角度（θ’）に変更する場合は、Ｖ字形角度α’,β’が５０°と４０°の２つの連結具１０’,１１’と、幅狭の側板７’と幅広の８’とを、組み合わせて用いる。また図８に示すように、直方体収納ボックス５の向きを例えば６０°の右向きの傾斜角度（θ”）に変更する場合は、Ｖ字形角度α”,β”が６０°と３０°の２つの連結具１０”,１１”と、幅広の側板７”と幅狭の側板８”とを、組み合わせて用いる。つまり、直方体収納ボックス５の向きに応じて、Ｖ字形角度α,β（α’,β’:α”,β”）の合計角度が９０°となる２つの連結具の組み合わせを選択し、さらに、幅寸法の異なる側板７,８の組み合わせを選択すればよい。勿論、直方体収納ボックス５の向きは上記４５°、５０°、６０°に限らず、任意の角度に適宜設定変更可能である。
【００２８】
次に、本発明の平面視五角形のコーナーキャビネット1を組み立てるにあたっては、先ず、一方の側板７の内面に第１の連結具１０の側板取付片１４を取り付け、第１の連結具１０のボックス取付片１３を直方体収納ボックス５の一方の前側端部５ａに取り付ける。さらに、他方の側板８の内面に第２の連結具１１の側板取付片１４を取り付け、第２の連結具１１のボックス取付片１３を直方体収納ボックス５の他方の前側端部５ｂに取り付ける。なお、一方の側板７と他方の側板８の取り付け手順はこれには限定されない。その後、天板９の背部二辺９ａ,９ｂをコーナー部２の直交する壁面３,４に沿わせ、側部二辺９ｃ,９ｄを左右の側板７,８の上部に沿わせ、前部斜辺９ｅを前面開口部６の上部に沿わせるようにして、天板９を直方体収納ボックス５の上面５ｃに載置する。
【００２９】
これにより、別部品からなる直方体収納ボックス５と左右の側板７,８と連結具１０,１１と天板９との組み合わせによって、少ない部品数で平面視五角形のコーナーキャビネット１を容易に組み立てることができる。
【００３０】
また、上記天板９の背部二辺９ａ,９ｂをコーナー部２の壁面３,４にぴったりと合わせることができるので、見栄えがきわめて良好に保たれる利点もある。
【００３１】
また本例では、平面視略Ｖ字形の連結具１０,１１を用いて側板７,８を直方体収納ボックス５に対して連結するにあたって、側板取付片１４の幅寸法Ｄをボックス取付片１３の幅寸法Ｅよりも長く延ばし、その長く延ばした部分にネジ孔１６を形成してあるので、側板取付片１４と直交する方向からネジを側板取付片１４のネジ孔１６から側板７（８）にネジ込む際に、ボックス取付片１３に邪魔されることなく、側板取付片１４の取付作業を容易に行なえるようになる。またこのときネジが側板７（８）を貫通しないようにすることで、側板７（８）の外観低下を防止できる。
【００３２】
また本例では、ボックス取付片１３に、直方体収納ボックス５の前側端部５ａに設けられた既成のダボ穴１７と連通する貫通孔１８を形成し、直方体収納ボックス５の内側からタッピンネジ１９を該ダボ穴１７を通して貫通孔１８に締結できるので、既成のダボ穴１７を利用してボックス取付片１３の取付作業を楽に行なえると共に、直方体収納ボックス５への穴加工が不要となり、取付作業が一層はかどる利点もある。
【００３３】
さらに本例では、直方体収納ボックス５の横方向に隣接してサイドボックス２２を設置し、サイドボックス２２の上部を覆う四角形天板部９Ａ（図１、図２の斜線部分）を天板９に一体に形成している。これにより、例えば図１１に示すように、四角形天板部９Ａによってユニットボックス４５上に立設される背の高い収納ラック４６にＴＶ４０に近接することもなく、ＴＶ４０の視野が広がり、ＴＶ４０の首振り角度も広く確保できるようになる。なお図１１の例では、四角形天板部９Ａの上面には、ＴＶ４０の妨げとならない程度の比較的細幅の小物ラックユニット３０を設置しており、これにより四角形天板部９Ａの上面部分がデットスペースになることがなく、有効利用が図られる。なお図１０、図１１中の４５は中央側の収納ボックス、９Ｂはその収納ボックス４５を覆う四角形天板部であって四角形天板部９Ａと連続して一体に形成されており、天板９,９Ａ,９Ｂ全体の外観が良く且つ製造コストを安価にできる利点もある。
【００３４】
前記実施形態ではキャビネット本体５の右側にサイドボックス２２を配置した例を説明したが、左側に配置した構造でもよい。この場合において、図１２（ａ）は右仕様の天板９,９Ａ、図１２（ｂ）は左仕様の天板９,９Ａの例を示している。
【００３５】
前記実施形態では第１及び第２の連結具１０,１１として平面視略Ｖ字形のものを例示したが、他例として、例えば連結具を断面三角形状の棒状体、或いは、断面三角形状のピース片を一定間隔で配置したものであってもよい。要するに、連結具における側板に取り付けられる側の面と直方体収納ボックスに取り付けられる側の面との角度が所定角度で傾斜したものであればよく、その形状は特に問わない。
【図面の簡単な説明】
【００３６】
【図１】本発明のコーナーキャビネットの分解斜視図である。
【図２】同上のコーナーキャビネットの組み立て状態の斜視図である。
【図３】同上の天板の背部二辺を受ける受け金具を説明する斜視図である。
【図４】（ａ）は同上の第１の連結具の平面図、（ｂ）は側面図である。
【図５】（ａ）は同上の第２の連結具の平面図、（ｂ）は側面図である。
【図６】同上のＶ字形角度が４５°の連結具を用いた組み立て状態の説明図である。
【図７】同上のＶ字形角度が６０°の第１の連結具と３０°の第２の連結具を用いた組み立て状態の説明図である。
【図８】同上のＶ字形角度が５０°の第１の連結具と４０°の第２の連結具を用いた組み立て状態の説明図である。
【図９】同上の連結具を介して直方体収納ボックスと側板とを連結した状態を説明する平面図である。
【図１０】同上のコーナーキャビネットの天板の他の実施形態の説明図である。
【図１１】同上のコーナーキャビネットの側方に背の高いキャビネットを設置した場合の実施形態の説明図である。
【図１２】（ａ）は左仕様の天板、（ｂ）は右使用の天板の例を示す斜視図である。
【符号の説明】
【００３７】
１  コーナーキャビネット
２  コーナー部
３  一方の壁面
４  他方の壁面
５  直方体収納ボックス
５ａ  一方の前側端部
５ｂ  他方の前側端部
６  前面開口部
７  一方の側板
７ａ  一側端部
７ｂ  他側端部
８  他方の側板
８ａ  一側端部
８ｂ  他側端部
９  天板
９ａ,９ｂ  背部二辺
９ｃ,９ｄ  側部二辺
９ｅ  前部斜辺
１０  第１の連結具
１１  第２の連結具
１３  側板取付片
１４  ボックス取付片
１６  ネジ孔
１７  ダボ穴
１８  貫通孔
１９  固定部材
Ａ  幅方向
θ  直方体収納ボックスの傾斜角度
【図１】
2010119794.tif 000003
【図２】
2010119794.tif 000004
【図３】
2010119794.tif 000005
【図４】
2010119794.tif 000006
【図５】
2010119794.tif 000007
【図６】
2010119794.tif 000008
【図７】
2010119794.tif 000009
【図８】
2010119794.tif 000010
【図９】
2010119794.tif 000011
【図１０】
2010119794.tif 000012
【図１１】
2010119794.tif 000013
【図１２】
2010119794.tif 000014